(57)【要約】【課題】  調剤用の薬品棚に需用の多い薬に比較的多くの保管容積を宛てることを可能にすること、また薬の同定や薬の保管部への出し入れを容易にして調剤作業の効率を高めるとともに調剤ミスの発生のおそれを減ずること、さらに調剤室の有効利用を可能にすること。【解決手段】  薬品棚と調剤作業台との組合せ体は、間隔をおいて配置された複数の棚板を有する薬品棚と、前記棚板の少なくとも１つに着脱可能に取り付けられる調剤作業台とからなる。【選択図】図１
2010259541.tif 000002
【特許請求の範囲】
【請求項１】
薬品棚と調剤作業台との組合せ体であって、間隔をおいて配置された複数の棚板を有する薬品棚と、前記棚板の少なくとも１つに着脱可能に取り付けられる調剤作業台との組合せ体。
【請求項２】
前記棚板は、基部と、該基部に固定されたボードと、該ボードの相対する両側部に間隔をおいて取り付けられた複数のアームに支持されている、請求項１に記載の組合せ体。
【請求項３】
前記調剤作業台は板又はトレーの形状を有する、請求項１に記載の組合せ体。
【請求項４】
前記調剤作業台は箱の形状を有する、請求項１に記載の組合せ体。
【請求項５】
前記調剤作業台は、前記薬品棚の上下端間のほぼ中間に位置する棚板に取り付けられる、請求項１に記載の組合せ体。
【請求項６】
前記調剤作業台は、調剤作業者のほぼ腰高さに位置する棚板に取り付けられる、請求項１に記載の組合せ体。
【請求項７】
前記棚板の少なくとも１つはその前側部に該棚板の長さ方向に伸びるハンガーレールを備え、前記調剤作業台はその後側部に前記ハンガーレールと係合可能のフックを備える、請求項１に記載の組合せ体。
【請求項８】
前記ハンガーレールは、前記棚板への取付け部と、該取付け部に連なるＶ字状の横断面形状を有するレール部とを有する、請求項７に記載の組合せ体。
【請求項９】
前記フックは、前記作業台の後側部から下方に伸びる、請求項７に記載の組合せ体。
【請求項１０】
複数の棚板を備える薬品棚であって、前記棚板の少なくとも１つの前側部に該棚板の長さ方向に伸びるハンガーレールを備える、薬品棚。
【請求項１１】
複数の棚板を備える薬品棚に着脱可能に取り付けられる調剤作業台であって、側部から下方に伸びるフックを有する調剤作業台。
【発明の詳細な説明】
【技術分野】
【０００１】
本発明は、薬品の保管及び調剤に供される調剤棚の分野に属し、特に、該調剤棚と同じ目的で使用される、薬品保管用の棚と調剤用の作業台との組合せ体、薬品棚及び調剤作業台に関する。
【背景技術】
【０００２】
従来、図４ないし図６に示すように、調剤棚１００は、下方の引出し部１１２と該引出し部の上の棚部１１４とからなり、引出し部１１２と棚部１１４との間には両部間の奥行き寸法の差に相当する奥行寸法の作業台１１６が設けられている。
【０００３】
引出し部１１２には左右一対の引出し１１８が複数段（図示の例では４段）配置されており、棚部１１４は縦横の仕切り板により格子状に仕切られかつ開放された多数の保管部１２０が設けられている。薬品は種々の包装がされた状態で引出し１１８及び保管部１２０に保存されている。
【０００４】
調剤棚１００は、図５に示す単位体又は図６に示す２つの単位体を背合わせに重ねた複合体の形態に製作され、調剤室に配置される。
【０００５】
調剤は、薬剤師が医師の処方に従って引出し１１８や保管部１２０から薬品を作業台１１６に集めることによって行われる。調剤された薬は、作業台１１６上で薬袋（図示せず）に納められる。
【０００６】
上記したような構造の調剤棚は、例えば、特許文献１にも示されている。
【０００７】
【特許文献１】特開２００２−１７８２１
【発明の開示】
【発明が解決しようとする課題】
【０００８】
上記した従来の調剤棚は、保管部の容積が全て一定で、需要の多い薬をその容積以上には保管できないため、しばしばその薬の補充をするか、その薬を複数の保管部に保管することが必要となる。しかし、そのような薬の補充や複数の保管部への保管は、調剤作業の効率を低下させ、また調剤ミスの原因となるおそれがある。
【０００９】
また、引出し１１８に薬を保管した場合にも同様な問題がある。加えて、引出し１１８に保管した場合、内部が見えないため薬の同定が容易でないほか、薬の出し入れに手間と時間が掛かるという問題もある。
【００１０】
さらに、引出し部１１２と棚部１１４との間には作業台１１６が固定的に設けられ、大きな面積を占めているが、調剤の際に必要な面積又はスペースはごく僅かであり、作業台上のスペースのほとんどがデッドスペースとなり、これが調剤室の有効利用を妨げている。
【００１１】
したがって、本発明の目的は、上記の問題を解決することであり、需用の多い薬に比較的多くの保管容積を宛てること、すなわち処方比例在庫を可能にし、また薬の同定や薬の保管部への出し入れを容易にして調剤作業の効率を高めるとともに調剤ミスの発生のおそれを減ずることであり、さらに調剤室の有効利用を可能にすることである。
【課題を解決するための手段】
【００１２】
本発明は、上記の目的を達成するために、引出し部を排し、また棚部を格子状に仕切ることを排し、固定の作業台に代えて棚部に対して着脱可能の作業台を採用することを基本構想とする。
【００１３】
本発明は、薬品棚と調剤作業台との組合せ体であり、該組合せ体は、間隔をおいて配置された複数の棚板を有する薬品棚と、該棚板の少なくとも１つに着脱可能に取り付けられる調剤作業台とからなることを特徴とする。
【００１４】
前記棚板は、基部と、該基部に固定されたボードと、該ボードの相対する両側部に間隔をおいて取り付けられた複数のアームに支持される。前記棚板は、前記ボードの相対する両面のそれぞれにおいて、該ボードの相対する両側部に間隔をおいて取り付けられた複数のアームに支持されるものであってもよい。
【００１５】
前記調剤作業台は板又はトレーの形状を有する。その形状は箱状でもよい。また、前記調剤作業台は、前記薬品棚の上下端間のほぼ中間に位置する１又は２以上の棚板に取り付けられ、好ましくは、調剤作業者のほぼ腰高さに位置する棚板に取り付けられる。
【００１６】
前記棚板の少なくとも一つはその前側部に該棚板の長さ方向に伸びるハンガーレールを備え、前記調剤作業台はその後側部に前記ハンガーレールと係合可能のフックを備える。前記ハンガーレールは、前記棚板への取付け部と、該取付け部に連なるＶ字状の横断面形状を有するレール部とを有し、前記フックは、前記作業台の後側部から下方に伸びている。
【発明の効果】
【００１７】
本発明によれば、格子状の容積一定の保管部を排したことにより、処方量に応じた量の薬を棚板上の１箇所に保管することができる。また、引出しを排したことにより、視覚による薬の同定並びに薬の取り入れ及び取り出しを容易に行うことができる。これらにより、調剤作業をより効率的にすることができる。さらに、作業台を固定から着脱可能に変更したことにより、従来の調剤棚の作業台の奥行き寸法に相当する分が棚全体の奥行き寸法から減ぜられることから、処方に比例した薬の保管及び調剤作業への支障なしに、従来の調剤棚に代わる設備を奥行き寸法の小さい薄型設備とすることができ、調剤室を広く有効に使用することが可能となる。
【図面の簡単な説明】
【００１８】
【図１】本発明に係る薬品棚と調剤作業台との組合せ体の側面図。
【図２】図１に示した棚板の一部と箱形の調剤作業台とを示す拡大断面図。
【図３】図１に示した棚板の一部とトレー形の調剤作業台とを示す拡大断面図。
【図４】従来の調剤棚の正面図。
【図５】図４に示した調剤棚の側面図。
【図６】図４に示した調剤棚を背合わせに重ねた例を示す側面図。
【発明を実施するための形態】
【００１９】
図１を参照するに、本発明に係る組合せ体１０は、薬品棚２０と調剤作業台３０とからなる。
【００２０】
図示の例において、鋼製の薬品棚２０は、基部２２に支持されたボード２４の両面に鋼製の多数の棚板２６が配置されている。各棚板２６は、ボード２４の各面においてその両側に配置されかつ該ボード支持された、対をなすアーム２８によって支持されている。アーム２６のボード２４に対する位置は可変であり、これにより棚板２６間の間隔は変更することができる。棚板上には包装された薬品４０が載せられる。薬品と薬品との間には、必要に応じてＴ型、Ｌ型などのセパレーター（図示せず）が置かれる。このセパレーターは、可動の仕切りとして棚板上の薬品配置場所を区分する。
【００２１】
薬品棚は、ボード２４の両面に多数の棚板２６が配置された両面保管型の図１の例に代え、ボードの片面にのみ多数の棚板が配置された片面保管型の薬品棚（図示せず）であっても良い。調剤室を有効に使用するために、この片面保管型の薬品棚を図１の両面保管型の薬品棚に代え又はこれと共に使用することが好ましい。
【００２２】
図１に示すように、調剤作業台３０は、薬品棚２０の上下端間のほぼ中央に位置する棚板２６の１つに取り付けられている。その１つの棚板２６は作業者のほぼ腰高さにある。もちろん、調剤作業上必要であれば、複数の調剤作業台３０をほぼ中央の２つ以上の棚板に隣接して又は間隔をおいて取り付けることができる。
【００２３】
調剤作業台３０が取り付けられる棚板２６には、図２に示すように、その前側部に棚板の長さ方向へ伸びるハンガーレール２９が固定されており、調剤作業台３０にはその後側部にフック３２が設けられている。
【００２４】
ハンガーレール２９は、図２，３に示すように、取付け部２９ａとこれに連なるＶ字状の横断面形状を有するレール部２９ｂとからなる。棚板２６の前側部への取付け部２９ａの固定は溶接による。棚板２６の前側部に該棚板の長さ方向に伸びる溝を設け、該溝にハンガーレール２９の取付け部２９を圧入することにより、該ハンガーレールを棚板２６の前側部に固定することもできる。
【００２５】
調剤作業台３０は、図２に示す例では箱状であり、図３に示す例はトレー状である。調剤作業台は縁部に立ち上げ部のない平板状であっても良い。調剤作業台３０の形状は矩形であることが好ましいが、これに限られない。
【００２６】
図２に示す箱状の調剤作業台３０は、フック３２と箱３４とが一体に形成されており、フック３２は箱３４の上縁部から下方への部材の折り曲げによって形成され、該フックは箱３４の幅方向に伸びている。箱３４にはヒンジ３６を介して蓋３８が連結されており、該蓋はノブ３９により開閉操作をすることができる。箱３４の内部には、調剤に必要な備品、例えば無線端末機、薬剤インナーボックス、輪ゴム、挟みなどが保管される。調剤は蓋３８の上で行われる。
【００２７】
図３に示すトレー状の作業台３０も、フック３２と、立ち上がり部３３を有するトレー３５とが一体に形成されている。フック３２は立ち上がり部３３の上縁部から下方への部材の折り曲げによって形成され、該フックはトレー３５の幅方向に伸びている。トレー３５の上には、調剤に必要な前記備品が容器に入れて又はバラで置かれる。調剤はトレー３５の上で行われる。
【００２８】
処方に比例した量の、包装された薬品４０が薬品棚１０の棚板上に保管される。調剤に際して、フック３２を棚板２６に設けられたハンガーレール２９に掛けることによって調剤作業台３０を棚板２６に取り付ける。次いで、医師の処方箋に従った薬が薬品４０の包装から取り出され、調剤作業台に集められる。その後、調剤作業台３０は、薬を受取人に引き渡すために、フック３２を棚板２６のハンガーレール２９から外す。これにより、調剤作業台３０は棚板２６から取り外すことができる。
【００２９】
調剤台３０は、調剤に必要な場合、棚板２６に沿ってハンガーレール２９上を滑らせ、棚板２６に対する位置を左右方向に移すことができる。
【符号の説明】
【００３０】
１０    組合せ体
２０    薬品棚
２６    棚板
２９    ハンガーレール
２９ａ  取付け部
２９ｂ  レール部
３０    調剤作業台
３２    フック
３４    箱
３５    トレー
３８    蓋
４０    薬品
【図１】
2010259541.tif 000003
【図２】
2010259541.tif 000004
【図３】
2010259541.tif 000005
【図４】
2010259541.tif 000006
【図５】
2010259541.tif 000007
【図６】
2010259541.tif 000008